(57)【要約】【課題】発光ダイオードがちらつく確率が低い駆動装置を提供する。【解決手段】駆動装置１０では、駆動回路２１は、スイッチ２０のオン及びオフへの切替えを交互に行うことによって、発光ダイオードＬ１を駆動する。電圧検出部２２は、バッテリ１２の正極におけるバッテリ電圧値を検出する。制御部３０は、電圧検出部２２が検出した検出値に基づいてデューティを算出し、スイッチ２０のオン及びオフへの切替えに係るデューティを、算出したデューティに変更する。制御部３０が算出するデューティは、バッテリ電圧値が電圧検出部２２によって検出された検出値である場合において、スイッチ２０がオンであるときに、発光ダイオードＬ１を流れる電流値に対する目標電流値の比である。【選択図】図１
2018006187.tif 000002
【特許請求の範囲】
【請求項１】
バッテリの一端に一端が接続されるスイッチのオン及びオフへの切替えを交互に行うことによって、該スイッチの他端から流れる電流の電流経路に配置された発光ダイオードを駆動する駆動部を備える駆動装置であって、
前記バッテリの一端におけるバッテリ電圧値を検出する電圧検出部と、
該電圧検出部が検出した検出値に基づいてデューティを算出する算出部と、
前記スイッチのオン及びオフへの切替えに係るデューティを、該算出部によって算出されたデューティに変更する変更部と
を備え、
前記算出部が算出するデューティは、前記バッテリ電圧値が前記電圧検出部によって検出された検出値である場合にて、前記スイッチがオンであるときに前記電流経路を流れる電流値に対する目標電流値の比である
駆動装置。
【請求項２】
前記目標電流値は、前記バッテリ電圧値が所定電圧値であると仮定した場合にて、前記スイッチがオンであるときに前記電流経路を流れる電流値であり、
前記所定電圧値は、前記バッテリ電圧値の変動範囲の下限値以下である
請求項１に記載の駆動装置。
【請求項３】
前記スイッチの他端から電流が流れる第２の電流経路に配置されたダイオードを備え、
前記駆動部は、前記切替えを交互に行うことによって、前記第２の電流経路に配置された第２の発光ダイオードも駆動し、
前記電流経路を電流が流れた場合に該電流経路に配置された一又は複数のダイオードで生じる電圧降下の幅は、前記第２の電流経路を電流が流れた場合に該第２の電流経路に配置された複数のダイオードで生じる電圧降下の幅と略一致している
請求項１又は請求項２に記載の駆動装置。
【請求項４】
前記スイッチの他端から電流が流れる第３の電流経路に配置された第２のダイオードを備え、
前記駆動部は、前記切替えを交互に行うことによって、前記第３の電流経路に配置された白熱電球も駆動し、
前記第２のダイオードは、該白熱電球で消費される電力値を安定させるために用いられる
請求項１から請求項３のいずれか１つに記載の駆動装置。
【発明の詳細な説明】
【技術分野】
【０００１】
本発明は駆動装置に関する。
【背景技術】
【０００２】
車両には、電力供給源に一端が接続されているスイッチのオン及びオフへの切替えを交互に行うことによって、スイッチの他端から流れる電流の電流経路に配置された白熱電球を駆動する駆動装置が搭載されている。
【０００３】
通常、車両では、電力供給源は、直流の電力を、スイッチを介して白熱電球に供給すると共に、他の負荷、例えば、スタータに電力を供給する。電力供給源が電力を供給する場合、電力供給源の内部抵抗を介して電流が流れる。電力供給源が供給する電流値が大きい程、内部抵抗で生じる電圧降下の幅が大きいので、電力供給源が出力する電圧値は小さい。電力供給源から流れる電流値は、他の負荷が作動するか、又は、他の負荷が動作を停止した場合に変動し、この電流値の変動に伴って電力供給源が出力する電圧値も変動する。
【０００４】
白熱電球が発する光の強度は、白熱電球で消費される電力値の平均値に応じて変動する。白熱電球が発する光の強度は、白熱電球で消費される電力値の平均値が安定している場合、安定する。従って、例えば、スイッチがオンに維持されている状態で電力供給源が出力する電圧値が変動した場合、白熱電球で消費される電力値の平均値は変動し、白熱電球がちらつく。ここで、平均値は、有限の一定期間に亘って平均された値である。
【０００５】
特許文献１には、白熱電球のちらつきを防止する駆動装置が開示されている。この駆動装置では、電力供給源が出力する電圧値を検出する。電力供給源の出力電圧値が検出値であり、かつ、スイッチがオンである場合に消費される電力値に対する目標電力値の比であるデューティを算出する。そして、スイッチのオン及びオフへの切替えに係るデューティを、算出したデューティに変更する。これにより、白熱電球で消費される電力値の平均値が、電力供給源が出力する電圧値に無関係に、目標電力値で安定し、白熱電球のちらつきが防止される。
【先行技術文献】
【特許文献】
【０００６】
【特許文献１】特開第２００３−３３８３９６号公報
【発明の概要】
【発明が解決しようとする課題】
【０００７】
車両に搭載される発光体として、発光ダイオードが普及している。発光ダイオードが発する光の強度は、発光ダイオードに供給される電流値の平均値に応じて変動する。発光ダイオードが発する光の強度は、発光ダイオードに供給される電流値の平均値が安定している場合、安定する。電流値に係る平均値も有限の一定期間に亘って平均された値である。
発光体が発光ダイオードである場合において、発光ダイオードで消費される電力値の平均値が安定するように、スイッチのオン及びオフへの切替えに係るデューティを変更したとき、発光ダイオードがちらつく確率が高いという問題がある。
【０００８】
本発明は斯かる事情に鑑みてなされたものであり、その目的とするところは、発光ダイオードがちらつく確率が低い駆動装置を提供することにある。
【課題を解決するための手段】
【０００９】
本発明の一態様に係る駆動装置は、バッテリの一端に一端が接続されるスイッチのオン及びオフへの切替えを交互に行うことによって、該スイッチの他端から流れる電流の電流経路に配置された発光ダイオードを駆動する駆動部を備える駆動装置であって、前記バッテリの一端におけるバッテリ電圧値を検出する電圧検出部と、該電圧検出部が検出した検出値に基づいてデューティを算出する算出部と、前記スイッチのオン及びオフへの切替えに係るデューティを、該算出部によって算出されたデューティに変更する変更部とを備え、前記算出部が算出するデューティは、前記バッテリ電圧値が前記電圧検出部によって検出された検出値である場合にて、前記スイッチがオンであるときに前記電流経路を流れる電流値に対する目標電流値の比である。
【００１０】
なお、本発明を、このように特徴的な処理部を備える駆動装置として実現することができるだけでなく、かかる特徴的な処理をステップとする駆動方法として実現したり、かかるステップをコンピュータに実行させるためのコンピュータプログラムとして実現したりすることができる。また、本発明を、駆動装置の一部又は全部を実現する半導体集積回路として実現したり、駆動装置を含む駆動システムとして実現したりすることができる。
【発明の効果】
【００１１】
上記の態様によれば、発光ダイオードがちらつく確率が低い。
【図面の簡単な説明】
【００１２】
【図１】実施形態１における電源システムの要部構成を示すブロック図である。
【図２】駆動開始処理の手順を示すフローチャートである。
【図３】デューティ変更処理の手順を示すフローチャートである。
【図４】駆動停止処理の手順を示すフローチャートである。
【図５】発光回路に印加される電圧値の推移の一例を示すグラフである。
【図６】実施形態２において発光回路に印加される電圧値の推移の一例を示すグラフである。
【図７】実施形態３における電源システムの要部構成を示すブロック図である。
【図８】デューティと検出値との関係を示すグラフである。
【発明を実施するための形態】
【００１３】
［本発明の実施形態の説明］
最初に本発明の実施態様を列挙して説明する。以下に記載する実施形態の少なくとも一部を任意に組み合わせてもよい。
【００１４】
（１）本発明の一態様に係る駆動装置は、バッテリの一端に一端が接続されるスイッチのオン及びオフへの切替えを交互に行うことによって、該スイッチの他端から流れる電流の電流経路に配置された発光ダイオードを駆動する駆動部を備える駆動装置であって、前記バッテリの一端におけるバッテリ電圧値を検出する電圧検出部と、該電圧検出部が検出した検出値に基づいてデューティを算出する算出部と、前記スイッチのオン及びオフへの切替えに係るデューティを、該算出部によって算出されたデューティに変更する変更部とを備え、前記算出部が算出するデューティは、前記バッテリ電圧値が前記電圧検出部によって検出された検出値である場合にて、前記スイッチがオンであるときに前記電流経路を流れる電流値に対する目標電流値の比である。
【００１５】
上記の態様では、バッテリの一端におけるバッテリ電圧値を検出し、検出した検出値に基づいてデューティを算出し、スイッチのオン及びオフへの切替えに係るデューティを、算出したデューティに変更する。ここで、算出されるデューティは、バッテリ電圧値が、検出した検出値である場合において、スイッチがオンであるときに、電流経路を流れる電流値に対する目標電流値の比である。このため、発光ダイオードを流れる電流値の平均値は、バッテリ電圧値に無関係に目標電流値で安定し、発光ダイオードがちらつく確率が低い。
【００１６】
（２）本発明の一態様に係る駆動装置では、前記目標電流値は、前記バッテリ電圧値が所定電圧値であると仮定した場合にて、前記スイッチがオンであるときに前記電流経路を流れる電流値であり、前記所定電圧値は、前記バッテリ電圧値の変動範囲の下限値以下である。
【００１７】
上記の態様では、所定電圧値がバッテリ電圧値の変動範囲の下限値以下であるため、スイッチのオン及びオフへの切替えに係るデューティを変更することによって、電流経路を流れる電流値の平均値を目標電流値に調整することが可能である。
【００１８】
（３）本発明の一態様に係る駆動装置は、前記スイッチの他端から電流が流れる第２の電流経路に配置されたダイオードを備え、前記駆動部は、前記切替えを交互に行うことによって、前記第２の電流経路に配置された第２の発光ダイオードも駆動し、前記電流経路を電流が流れた場合に該電流経路に配置された一又は複数のダイオードで生じる電圧降下の幅は、前記第２の電流経路を電流が流れた場合に該第２の電流経路に配置された複数のダイオードで生じる電圧降下の幅と略一致している。
【００１９】
上記の態様では、スイッチのオン及びオフへの切替えを交互に行うことによって、電流経路に配置された発光ダイオードだけではなく、第２の電流経路に配置された第２の発光ダイオードも駆動する。電流経路を電流が流れた場合に、電流経路に配置された一又は複数のダイオードで生じる電圧降下の幅が、第２の電流経路を電流が流れた場合に、第２の電流経路に配置された複数のダイオードで生じる電圧降下の幅と略一致している。このため、第２の電流経路に配置された第２の発光ダイオードを流れる電流値の平均値もバッテリ電圧値に無関係に安定する。
【００２０】
（４）本発明の一態様に係る駆動装置は、前記スイッチの他端から電流が流れる第３の電流経路に配置された第２のダイオードを備え、前記駆動部は、前記切替えを交互に行うことによって、前記第３の電流経路に配置された白熱電球も駆動し、前記第２のダイオードは、該白熱電球で消費される電力値を安定させるために用いられる。
【００２１】
上記の態様では、スイッチのオン及びオフへの切替えを交互に行うことによって、電流経路に配置された発光ダイオードだけではなく、第３の電流経路に配置された白熱電球も駆動する。スイッチのオン及びオフへの切替えに係るデューティは前述した比であるが、第３の電流経路に第２のダイオードを配置することによって、白熱電球で消費される電力値が目標電力値で安定する構成を実現することが可能となる。この場合、白熱電球が発する光の強度が安定し、白熱電球がちらつく確率は低い。
【００２２】
［本発明の実施形態の詳細］
本発明の実施形態に係る駆動装置の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
（実施形態１）
図１は、実施形態１における電源システム１の要部構成を示すブロック図である。電源システム１は、車両に好適に搭載されており、駆動装置１０、発光回路１１、バッテリ１２及びスタータ１３を備える。
【００２３】
駆動装置１０は、発光回路１１の一端と、バッテリ１２の正極とに各別に接続されている。バッテリ１２の正極にはスタータ１３の一端が接続されている。発光回路１１の他端と、バッテリ１２の負極と、スタータ１３の他端とは接地されている。
【００２４】
発光回路１１は、ダイオードＤ１、Ｎ（Ｎ：自然数）個の発光ダイオードＬ１，Ｌ１，・・・，Ｌ１及び抵抗Ｒ１を有する。これらは、発光回路１１内で直列に接続されている。ダイオードＤ１及びＮ個の発光ダイオードＬ１，Ｌ１，・・・，Ｌ１夫々の順方向は同一である。ダイオードＤ１及びＮ個の発光ダイオードＬ１，Ｌ１，・・・，Ｌ１夫々について、アノードは駆動装置１０側に接続され、カソードは接地側に接続されている。
【００２５】
なお、発光回路１１において、ダイオードＤ１、Ｎ個の発光ダイオードＬ１，Ｌ１，・・・，Ｌ１及び抵抗Ｒ１を駆動装置１０側から接続する順序は、図１に示す順序に限定されない。発光回路１１では、ダイオードＤ１、Ｎ個の発光ダイオードＬ１，Ｌ１，・・・，Ｌ１及び抵抗Ｒ１が直列に接続されていればよい。
【００２６】
電源システム１において、電流は、バッテリ１２の正極から駆動装置１０及び発光回路１１の順に流れる。発光回路１１を電流が流れた場合、発光回路１１が有するＮ個の発光ダイオードＬ１，Ｌ１，・・・，Ｌ１は発光する。Ｎ個の発光ダイオードＬ１，Ｌ１，・・・，Ｌ１が発する光の強度は、発光回路１１を流れる電流値の平均値が大きい程大きい。ここで、電流値の平均値は、有限の一定期間、例えば、後述するスイッチ信号の１周期に亘って平均された値である。
【００２７】
バッテリ１２は、発光回路１１だけではなく、スタータ１３にも電力を供給する。スタータ１３は、図示しないエンジンを始動するためのモータである。バッテリ１２が電力を供給する場合、バッテリ１２では、図示しない内部抵抗を介して電流が流れ、内部抵抗で電圧降下が生じる。内部抵抗を介して流れる電流値が大きい程、内部抵抗で生じる電圧降下の幅は大きい。バッテリ１２は、内部抵抗を介して電圧を出力する。バッテリ１２の出力電圧値、即ち、バッテリ１２の正極における電圧値は、スタータ１３が作動しているか否かによって異なる。スタータ１３が作動している場合、バッテリ１２の内部抵抗を流れる電流値が大きいため、バッテリ１２の出力電圧値は低い。スタータ１３が動作を停止している場合、バッテリ１２の内部抵抗を流れる電流値は小さいため、バッテリ１２の出力電圧値は高い。
【００２８】
バッテリ１２が発光回路１１に電力を供給する場合にバッテリ１２の内部抵抗で生じる電圧降下の幅は十分に小さい。このため、バッテリ１２が発光回路１１に電力を供給しているか否かによって、バッテリ１２の出力電圧値が変動することは殆どない。
【００２９】
バッテリ１２の出力電圧値は、スタータ１３が作動するか、又は、スタータ１３が動作を停止する都度、変動する。以下では、バッテリ１２の出力電圧値に関する変動範囲の上限値をＶｔと記載し、この変動範囲の下限値をＶｂ（＜Ｖｔ）と記載する。スタータ１３が作動した場合、バッテリ１２の出力電圧値は下限値Ｖｂとなり、スタータ１３が動作を停止している場合、バッテリ１２の出力電圧値は上限値Ｖｔに略一致している。
【００３０】
駆動装置１０には、Ｎ個の発光ダイオードＬ１，Ｌ１，・・・，Ｌ１の駆動を指示する駆動信号と、Ｎ個の発光ダイオードＬ１，Ｌ１，・・・，Ｌ１の駆動の停止を指示する停止信号とが入力される。
駆動装置１０は、駆動信号が入力された場合、バッテリ１２の正極と、発光回路１１の一端とを断続的に接続する。これにより、バッテリ１２から発光回路１１に電流が供給され、Ｎ個の発光ダイオードＬ１，Ｌ１，・・・，Ｌ１は発光する。
駆動装置１０は、停止信号が入力された場合、バッテリ１２及び発光回路１１間の接続を遮断する。これにより、バッテリ１２から発光回路１１への電流供給が停止し、Ｎ個の発光ダイオードＬ１，Ｌ１，・・・，Ｌ１は発光を停止する。
【００３１】
駆動装置１０は、スイッチ２０、駆動回路２１、電圧検出部２２及びマイクロコンピュータ（以下、マイコンという）２３を有する。スイッチ２０の一端と、電圧検出部２２とはバッテリ１２の正極に接続されている。スイッチ２０の他端は発光回路１１の一端に接続されている。駆動回路２１及び電圧検出部２２夫々は、更に、マイコン２３に接続されている。スイッチ２０は、ＦＥＴ(Field Effect Transistor)、バイポーラトランジスタ又はリレー接点等である。
【００３２】
スイッチ２０がオンである場合、電流がバッテリ１２の正極からスイッチ２０及び発光回路１１の順に流れる。発光回路１１は、スイッチ２０の他端から流れる電流の電流経路に配置されている。スイッチ２０がオフである場合、バッテリ１２の正極から発光回路１１に電流が流れることはない。
【００３３】
駆動回路２１には、マイコン２３からスイッチ信号が入力される。スイッチ信号は、ハイレベル電圧及びローレベル電圧によって構成される。
マイコン２３から駆動回路２１にスイッチ信号が入力されている場合において、スイッチ信号が示す電圧がローレベル電圧からハイレベル電圧に切替わったとき、駆動回路２１はスイッチ２０をオフからオンに切替える。同様の場合において、スイッチ信号が示す電圧がハイレベル電圧からローレベル電圧に切替わったとき、駆動回路２１はスイッチ２０をオンからオフに切替える。従って、スイッチ信号がハイレベル電圧を示している間、スイッチ２０はオンであり、スイッチ信号がローレベル電圧を示している間、スイッチ２０はオフである。マイコン２３から駆動回路２１にスイッチ信号が入力されていない場合、駆動回路２１はスイッチ２０をオフに維持する。
【００３４】
電圧検出部２２は、バッテリ１２の出力電圧値を検出し、検出した検出値Ｖｓを示すアナログの検出値情報をマイコン２３に出力する。
【００３５】
マイコン２３は、入力部３４に駆動信号が入力された場合に駆動回路２１へのスイッチ信号の出力を開始し、入力部３４に停止信号が入力された場合にスイッチ信号の出力を停止する。マイコン２３は、電圧検出部２２から入力された検出値情報が示す検出値Ｖｓに基づいて、駆動回路２１に出力しているスイッチ信号のデューティを調整する。
スイッチ信号では、ローレベル電圧からハイレベル電圧への切替え、又は、ハイレベル電圧からローレベル電圧への切替えが周期的に行われる。スイッチ信号が１周期の中でハイレベル電圧を示す期間をハイレベル期間と記載した場合、デューティはスイッチ信号の１周期に対するハイレベル期間の比である。デューティの単位はパーセント［％］である。デューティは、ゼロ％以上であり、かつ、１００％以下である。デューティがゼロ％である場合、スイッチ信号は１周期中ローレベル電圧を示し、デューティが１００％である場合、スイッチ信号は１周期中ハイレベル電圧を示す。
【００３６】
マイコン２３は、制御部３０、記憶部３１、Ａ(Analog)／Ｄ(Digital)変換部３２、入力部３３，３４及び出力部３５を有する。制御部３０、記憶部３１、Ａ／Ｄ変換部３２、入力部３４及び出力部３５はバス３６に接続されている。Ａ／Ｄ変換部３２は、バス３６の他に、入力部３３に接続され、入力部３３は、更に電圧検出部２２に接続されている。出力部３５は、バス３６の他に、駆動回路２１に接続されている。
【００３７】
入力部３３には、電圧検出部２２からアナログの検出値情報が入力される。入力部３３は、電圧検出部２２からアナログの検出値情報が入力された場合、入力されたアナログの検出値情報をＡ／Ｄ変換部３２に出力する。Ａ／Ｄ変換部３２は、入力部３３から入力されたアナログの検出値情報をデジタルの検出値情報に変換する。Ａ／Ｄ変換部３２が変換したデジタルの検出値情報は制御部３０によって取得される。制御部３０がＡ／Ｄ変換部３２から取得した検出値情報が示す検出値Ｖｓは、検出値情報の取得時点におけるバッテリ１２の出力電圧値に一致するか又は略一致する。
【００３８】
入力部３４には、駆動信号及び停止信号が入力される。入力部３４は、駆動信号又は停止信号が入力された場合、その旨を制御部３０に通知する。
出力部３５は、制御部３０の指示に従って、駆動回路２１へのスイッチ信号の出力と、スイッチ信号のデューティの変更と、スイッチ信号の出力の停止とを行う。
【００３９】
記憶部３１は不揮発性メモリである。記憶部３１には、制御プログラムＰ１が記憶されている。
制御部３０は図示しないＣＰＵ(Central Processing Unit)を有する。制御部３０のＣＰＵは、記憶部３１に記憶されている制御プログラムＰ１を実行することによって、駆動開始処理、デューティ変更処理及び駆動停止処理を実行する。駆動開始処理は、Ｎ個の発光ダイオードＬ１，Ｌ１，・・・，Ｌ１の駆動を開始する処理である。デューティ変更処理は、出力部３５から駆動回路２１に出力されているスイッチ信号のデューティを変更する処理である。駆動停止処理は、Ｎ個の発光ダイオードＬ１，Ｌ１，・・・，Ｌ１の駆動を停止する処理する。制御プログラムＰ１は、制御部３０のＣＰＵに駆動開始処理、デューティ変更処理及び駆動停止処理を実行させるためのコンピュータプログラムである。
【００４０】
なお、制御プログラムＰ１は、コンピュータが読み取り可能に、記憶媒体Ｅ１に記憶されていてもよい。この場合、図示しない読み出し装置によって記憶媒体Ｅ１から読み出された制御プログラムＰ１が記憶部３１に記憶される。記憶媒体Ｅ１は、光ディスク、フレキシブルディスク、磁気ディスク、磁気光ディスク又は半導体メモリ等である。光ディスクは、ＣＤ（Compact Disc）−ＲＯＭ(Read Only Memory)、ＤＶＤ（Digital Versatile Disc）−ＲＯＭ、又は、ＢＤ（Blu-ray(登録商標) Disc）等である。磁気ディスクは、例えばハードディスクである。また、図示しない通信網に接続されている図示しない外部装置から制御プログラムＰ１をダウンロードし、ダウンロードした制御プログラムＰ１を記憶部３１に記憶してもよい。
【００４１】
記憶部３１にはフラグの値が更に記憶されている。フラグの値はゼロ又は１である。フラグの値がゼロであることは、Ｎ個の発光ダイオードＬ１，Ｌ１，・・・，Ｌ１の駆動を停止していることを意味する。フラグの値が１であることは、Ｎ個の発光ダイオードＬ１，Ｌ１，・・・，Ｌ１を駆動していることを意味する。フラグの値は制御部３０によって設定される。
【００４２】
図２は駆動開始処理の手順を示すフローチャートである。制御部３０は、入力部３４に駆動信号が入力された場合に駆動開始処理を実行する。駆動開始処理では、制御部３０は、まず、Ａ／Ｄ変換部３２からデジタルの検出値情報をＡ／Ｄ変換部３２から取得し（ステップＳ１）、電流デューティを算出する（ステップＳ２）。電流デューティの単位は、スイッチ信号のデューティの単位と同様に、パーセント［％］である。
【００４３】
記憶部３１には、以下に示す［１］式が記憶されている。
Ｔｉ＝１００・（Ｖｃ−Ｖｄ１−Ｖｆ１）／（Ｖｓ−Ｖｄ１−Ｖｆ１）・・・［１］
Ｖｃ＝Ｖｂ
［１］式は電流デューティＴｉを算出するための式である。Ｖｃは所定電圧値である。所定電圧値Ｖｃは、バッテリ１２の出力電圧値の変動範囲の下限値Ｖｂに設定されている。検出値Ｖｓは、前述したように、制御部３０がＡ／Ｄ変換部３２から取得した検出値情報が示す検出値である。また、図１に示すように、電圧値Ｖｄ１は、発光回路１１が配置された電流経路を電流が流れた場合にダイオードＤ１で生じる電圧降下の幅である。電圧値Ｖｆ１は、電流経路を電流が流れた場合にＮ個の発光ダイオードＬ１，Ｌ１，・・・，Ｌ１で生じる電圧降下の幅である。下限値Ｖｂは一定値である。
【００４４】
［１］式の右辺において、分子及び分母夫々を抵抗Ｒ１の抵抗値ｒ１で除算することによって、［１］式を、以下に示す［２］式に書き換えることができる。
Ｔｉ＝１００・（（Ｖｃ−Ｖｄ１−Ｖｆ１）／ｒ１）
／（（Ｖｓ−Ｖｄ１−Ｖｆ１）／ｒ１）・・・［２］
【００４５】
（Ｖｃ−Ｖｄ１−Ｖｆ１）／ｒ１は、バッテリ１２の出力電圧値が所定電圧値Ｖｃ（＝Ｖｂ）であると仮定した場合において、スイッチ２０がオンであるときに、発光回路１１が配置された電流経路を流れる電流値Ｉｃ１である。
（Ｖｓ−Ｖｄ１−Ｖｆ１）／ｒ１は、バッテリ１２の出力電圧値が、制御部３０によってＡ／Ｄ変換部３２から取得された検出値情報が示す検出値Ｖｓである場合において、スイッチ２０がオンであるときに、発光回路１１が配置された電流経路を流れる電流値Ｉｓ１である。
電流デューティＴｉは、電流値Ｉｓ１に対する電流値Ｉｃ１の比である。電流値Ｉｃ１は目標電流値に該当する。
【００４６】
ステップＳ２では、制御部３０はステップＳ１で取得した検出値情報が示す検出値Ｖｓを［１］式に代入することによって電流デューティＴｉを算出する。
【００４７】
制御部３０は、ステップＳ２を実行した後、出力部３５に指示して、スイッチ信号の出力を開始させる（ステップＳ３）。ここで、出力部３５が出力するスイッチ信号のデューティはステップＳ２で算出された電流デューティに設定されている。前述したように、駆動回路２１は、スイッチ信号が示す電圧がローレベル電圧からハイレベル電圧に切替わった場合にスイッチ２０をオンに切替え、スイッチ信号が示す電圧がハイレベル電圧からローレベル電圧に切替わった場合にスイッチ２０をオフに切替える。駆動回路２１は、スイッチ信号が示す電圧に従って、スイッチ２０のオンへの切替えと、スイッチ２０のオフへの切替えとを交互に繰り返す。これにより、発光回路１１が有するＮ個の発光ダイオードＬ１，Ｌ１，・・・，Ｌ１に電流が供給され、Ｎ個の発光ダイオードＬ１，Ｌ１，・・・，Ｌ１は発光する。
【００４８】
以上のように、駆動回路２１は、スイッチ２０のオンへの切替えと、スイッチ２０のオフへの切替えとを交互に繰り返すことによって、Ｎ個の発光ダイオードＬ１，Ｌ１，・・・，Ｌ１を駆動する。駆動回路２１は駆動部として機能する。スイッチ信号のデューティは、スイッチ２０のオン及びオフへの切替えに係るデューティに相当する。
【００４９】
発光回路１１が配置された電流経路を流れる電流値の平均値は、電流値Ｉｓ１と、ステップＳ２で算出された電流デューティＴｉとの積を１００で除算した値、即ち、電流値Ｉｃ１である。発光ダイオードＬ１が発する光の強度は、電流値Ｉｃ１に対応する強度である。
制御部３０は、ステップＳ３を実行した後、フラグの値を１に設定し（ステップＳ４）、駆動開始処理を終了する。
【００５０】
図３は、デューティ変更処理の手順を示すフローチャートである。制御部３０はデューティ変更処理を周期的に実行する。制御部３０は、まず、フラグの値が１であるか否かを判定する（ステップＳ１１）。前述したように、フラグの値が１であることは、Ｎ個の発光ダイオードＬ１，Ｌ１，・・・，Ｌ１を駆動していることを意味し、フラグの値がゼロであることは、Ｎ個の発光ダイオードＬ１，Ｌ１，・・・，Ｌ１の駆動が停止していることを意味する。フラグの値が１である場合、出力部３５は駆動回路２１にスイッチ信号を出力している。
【００５１】
制御部３０は、フラグの値が１ではない、即ち、フラグの値がゼロであると判定した場合（Ｓ１１：ＮＯ）、デューティ変更処理を終了する。
制御部３０は、フラグの値が１であると判定した場合（Ｓ１１：ＹＥＳ）、Ａ／Ｄ変換部３２から検出値情報を取得し（ステップＳ１２）、取得した検出値情報が示す検出値Ｖｓを［１］式に代入することによって、電流デューティを算出する（ステップＳ１３）。その後、制御部３０は、出力部３５が出力しているスイッチ信号のデューティを、ステップＳ１３で算出した電流デューティに変更し（ステップＳ１４）、デューティ変更処理を終了する。制御部３０は算出部及び変更部として機能する。
【００５２】
前述したように、制御部３０はデューティ変更処理を周期的に実行する。このため、バッテリ１２の出力電圧値が変動する都度、発光回路１１が配置された電流経路を流れる電流値の平均値が電流値Ｉｃ１となるように、スイッチ信号のデューティが変更される。これにより、Ｎ個の発光ダイオードＬ１，Ｌ１，・・・，Ｌ１を流れる電流値の平均値が、バッテリ１２の出力電圧値に無関係に電流値Ｉｃ１で安定する。結果、Ｎ個の発光ダイオードＬ１，Ｌ１，・・・，Ｌ１が発する光の強度が安定し、Ｎ個の発光ダイオードＬ１，Ｌ１，・・・，Ｌ１がちらつく確率は低い。
【００５３】
Ｎ個の発光ダイオードＬ１，Ｌ１，・・・，Ｌ１を流れる電流値の平均値がバッテリ１２の出力電圧値に無関係に電流値Ｉｃ１で安定する構成として、バッテリ１２の正極と、スイッチ２０のバッテリ１２側の一端との間にＤＣＤＣコンバータを接続される構成が考えられる。この構成では、ＤＣＤＣコンバータは、昇圧幅又は降圧幅を適宜調整することによって、バッテリ１２が出力した電圧を一定の電圧に変圧し、変圧した電圧をスイッチ２０に向けて出力する。この構成と比較して、駆動装置１０はＤＣＤＣコンバータを備える必要がない。このため、駆動装置１０は、小型であり、安価に製造される。
【００５４】
図４は駆動停止処理の手順を示すフローチャートである。制御部３０は、入力部３４に停止信号が入力された場合、駆動停止処理を実行する。制御部３０は、まず、出力部３５に指示して、スイッチ信号の出力を停止させる（ステップＳ２１）。前述したように、出力部３５がスイッチ信号の出力を停止している間、駆動回路２１はスイッチ２０をオフに維持する。制御部３０は、ステップＳ２１を実行した後、フラグの値をゼロに設定し（ステップＳ２２）、駆動停止処理を終了する。
【００５５】
図５は、発光回路１１に印加される電圧値の推移の一例を示すグラフである。縦軸には電圧値が示されており、横軸には時間が示されている。図５には、出力部３５がスイッチ信号を出力し、Ｎ個の発光ダイオードＬ１，Ｌ１，・・・，Ｌ１を駆動している場合における電圧値の推移が示されている。
【００５６】
図５に示すように、スタータ１３が動作を停止している間、バッテリ１２の出力電圧値は上限値Ｖｔである。スタータ１３が動作を停止している間、スイッチ信号のデューティは１００％未満であり、駆動回路２１は、スイッチ２０のオンへの切替えと、スイッチ２０のオフへの切替えとを交互に繰り返す。スイッチ２０がオンである場合、発光回路１１には、バッテリ１２の出力電圧値の上限値Ｖｔが印加され、スイッチ２０がオフである場合、発光回路１１に印加される電圧値はゼロＶである。発光回路１１に印加される電圧値の平均値は所定電圧値Ｖｃ（＝Ｖｂ）であり、発光回路１１が配置されている電流経路を流れる電流値の平均値は電流値Ｉｃ１である。
【００５７】
スタータ１３の作動によって、バッテリ１２の出力電圧値が下限値Ｖｂとなった場合、スイッチ信号のデューティは１００％になり、スイッチ２０はオンに維持される。発光回路１１に印加される電圧値の平均値は所定電圧値Ｖｃ（＝Ｖｂ）であり、発光回路１１が配置されている電流経路を流れる電流値の平均値は電流値Ｉｃ１である。
以上のように、Ｎ個の発光ダイオードＬ１，Ｌ１，・・・，Ｌ１に流れる電流値の平均値は、バッテリ１２の出力電圧値に無関係に電流値Ｉｃ１で安定している。
【００５８】
駆動装置１０では、所定電圧値Ｖｃがバッテリ１２の出力電圧値の変動範囲の下限値Ｖｂであるため、スイッチ信号のデューティを変更することによって、発光回路１１が配置された電流経路を流れる電流値の平均値を電流値Ｉｃ１に調整することができる。
【００５９】
（実施形態２）
実施形態１では、所定電圧値Ｖｃは、バッテリ１２の出力電圧値の変動範囲の下限値Ｖｂに設定されている。しかしながら、所定電圧値Ｖｃは下限値Ｖｂに限定されず、下限値Ｖｂ以下であればよい。
以下では、実施形態２について、実施形態１と異なる点を説明する。後述する構成を除く他の構成については、実施形態１と共通しているため、実施形態１と共通する構成部には実施形態１と同一の参照符号を付してその説明を省略する。
【００６０】
図６は、実施形態２において発光回路１１に印加される電圧値の推移の一例を示すグラフである。縦軸には電圧値が示されており、横軸には時間が示されている。図６には、図５と同様に、出力部３５がスイッチ信号を出力し、Ｎ個の発光ダイオードＬ１，Ｌ１，・・・，Ｌ１を駆動している場合における電圧値の推移が示されている。
実施形態２において、実施形態１と異なる点は、所定電圧値Ｖｃが、バッテリ１２の出力電圧値の変動範囲の下限値Ｖｂ未満である電圧値であることである。
【００６１】
実施形態２では、スタータ１３が動作を停止している間だけではなく、スタータ１３が作動している間も、スイッチ信号のデューティは１００％未満であり、駆動回路２１は、スイッチ２０のオンへの切替えと、スイッチ２０のオフへの切替えとを交互に繰り返している。そして、スイッチ信号のデューティは、発光回路１１に印加される電圧値の平均値が所定電圧値Ｖｃとなるように変更される。
【００６２】
バッテリ１２の出力電圧値の変動範囲の下限値Ｖｂは、スタータ１３が動作を停止している間におけるバッテリ１２の出力電圧値、即ち、バッテリ１２の出力電圧値の変動範囲の上限値Ｖｔよりも低い。このため、スタータ１３が作動している間に出力部３５が出力しているスイッチ信号のデューティ、即ち、スイッチ信号の１周期の中でスイッチ２０がオンである期間が占める割合は、スタータ１３が動作を停止している間に出力部３５が出力しているスイッチ信号のデューティよりも大きい。
【００６３】
以上のように構成された実施形態２における駆動装置１０は、実施形態１における駆動装置１０が奏する効果を同様に奏する。従って、実施形態２における駆動装置１０でも、スイッチ信号のデューティを変更することによって、発光回路１１に印加される電圧値の平均値が所定電圧値Ｖｃに調整され、発光回路１１が配置された電流経路を流れる電流値の平均値が電流値Ｉｃ１に調整される。
【００６４】
（実施形態３）
【００６５】
図７は、実施形態３における電源システム１の要部構成を示すブロック図である。
以下では、実施形態３について、実施形態１と異なる点を説明する。後述する構成を除く他の構成については、実施形態１と共通しているため、実施形態１と共通する構成部には実施形態１と同一の参照符号を付してその説明を省略する。
【００６６】
実施形態３における電源システム１も車両に好適に搭載されている。実施形態３における電源システム１は、実施形態１における電源システム１が備える構成部に加えて、発光回路４０及び白熱電球４１を備える。発光回路４０及び白熱電球４１夫々の一端は駆動装置１０に接続されている。発光回路４０及び白熱電球４１夫々の他端は接地されている。
【００６７】
発光回路４０は、ダイオードＤ２、Ｍ（Ｍ：自然数）個の発光ダイオードＬ２，Ｌ２，・・・，Ｌ２及び抵抗Ｒ２を有する。これらは、発光回路４０内で直列に接続されている。ダイオードＤ２及びＭ個の発光ダイオードＬ２，Ｌ２，・・・，Ｌ２夫々の順方向は同一である。ダイオードＤ２及びＭ個の発光ダイオードＬ２，Ｌ２，・・・，Ｌ２夫々について、アノードは駆動装置１０側に接続され、カソードは接地側に接続されている。
【００６８】
なお、発光回路４０において、ダイオードＤ２、Ｍ個の発光ダイオードＬ２，Ｌ２，・・・，Ｌ２及び抵抗Ｒ２を駆動装置１０側から接続する順序は、図７に示す順序に限定されない。発光回路４０では、ダイオードＤ２、Ｍ個の発光ダイオードＬ２，Ｌ２，・・・，Ｌ２及び抵抗Ｒ２が直列に接続されていればよい。
【００６９】
実施形態３における電源システム１においては、電流は、バッテリ１２の正極から、駆動装置１０を介して、発光回路１１，４０及び白熱電球４１夫々に流れる。
【００７０】
発光回路４０を電流が流れた場合、発光回路４０が有するＭ個の発光ダイオードＬ２，Ｌ２，・・・，Ｌ２が発光する。Ｍ個の発光ダイオードＬ２，Ｌ２，・・・，Ｌ２が発する光の強度は、発光回路４０を流れる電流値の平均値が大きい程大きい。
白熱電球４１を電流が流れた場合、白熱電球４１は発光する。白熱電球４１が発する光の強度は、白熱電球４１で消費される電力値の平均値が大きい程大きい。ここで、電力値の平均値は、有限の一定期間、例えば、スイッチ信号の１周期に亘って平均された値である。
【００７１】
実施形態３では、バッテリ１２は、実施形態１と同様に、スタータ１３にも電力を供給するので、バッテリ１２の出力電圧値は変動する。バッテリ１２が発光回路１１，４０及び白熱電球４１に電力を供給する場合にバッテリ１２の内部抵抗で生じる電圧降下の幅は十分に小さい。このため、バッテリ１２が発光回路１１，４０及び白熱電球４１に電力を供給するか否かによって、バッテリ１２の出力電圧値が変動することは殆どない。
実施形態１と同様に、スタータ１３が作動した場合、バッテリ１２の出力電圧値は下限値Ｖｂとなり、スタータ１３が動作を停止している場合、バッテリ１２の出力電圧値は上限値Ｖｔに略一致している。
【００７２】
実施形態３においても、駆動装置１０に駆動信号及び停止信号が入力される。実施形態３においては、駆動信号は、Ｎ個の発光ダイオードＬ１，Ｌ１，・・・，Ｌ１、Ｍ個の発光ダイオードＬ２，Ｌ２，・・・，Ｌ２及び白熱電球４１の駆動を指示する。停止信号は、Ｎ個の発光ダイオードＬ１，Ｌ１，・・・，Ｌ１、Ｍ個の発光ダイオードＬ２，Ｌ２，・・・，Ｌ２及び白熱電球４１の駆動の停止を指示する。
【００７３】
駆動装置１０は、駆動信号が入力された場合、バッテリ１２の正極を、発光回路１１，４０及び白熱電球４１夫々の一端に断続的に接続する。これにより、バッテリ１２から発光回路１１，４０及び白熱電球４１に電流が供給され、Ｎ個の発光ダイオードＬ１，Ｌ１，・・・，Ｌ１、Ｍ個の発光ダイオードＬ２，Ｌ２，・・・，Ｌ２及び白熱電球４１は発光する。
また、駆動装置１０は、停止信号が入力された場合、バッテリ１２から発光回路１１，４０及び白熱電球４１への電流供給を停止する。これにより、Ｎ個の発光ダイオードＬ１，Ｌ１，・・・，Ｌ１、Ｍ個の発光ダイオードＬ２，Ｌ２，・・・，Ｌ２及び白熱電球４１は発光を停止する。
【００７４】
実施形態３における駆動装置１０は、実施形態１における駆動装置１０が有する構成部に加えて、ダイオード回路５０，５１を有する。ダイオード回路５０，５１夫々の一端は、スイッチ２０の発光回路１１側の一端に接続されている。ダイオード回路５０の他端は発光回路４０の一端に接続されている。ダイオード回路５１の他端は白熱電球４１の一端に接続されている。
【００７５】
ダイオード回路５０は、駆動装置１０の内部に設けられたＪ（Ｊ：自然数）個の内部ダイオードＡ２，Ａ２，・・・，Ａ２を有する。これらは、ダイオード回路５０内で直列に接続されている。Ｊ個の内部ダイオードＡ２，Ａ２，・・・，Ａ２夫々の順方向は同一である。Ｊ個の内部ダイオードＡ２，Ａ２，・・・，Ａ２夫々について、アノードはスイッチ２０側に接続され、カソードは発光回路４０側に接続されている。
【００７６】
同様に、ダイオード回路５１は、駆動装置１０の内部に設けられたＫ（Ｋ：自然数）個の内部ダイオードＡ３，Ａ３，・・・，Ａ３を有する。これらは、ダイオード回路５１内で直列に接続されている。Ｋ個の内部ダイオードＡ３，Ａ３，・・・，Ａ３夫々の順方向は同一である。Ｋ個の内部ダイオードＡ３，Ａ３，・・・，Ａ３夫々について、アノードはスイッチ２０側に接続され、カソードは白熱電球４１側に接続されている。
【００７７】
マイコン２３の制御部３０のＣＰＵは、実施形態１と同様に、記憶部３１に記憶されている制御プログラムＰ１を実行することによって、駆動開始処理、デューティ変更処理及び駆動停止処理を実行する。制御部３０は、入力部３４に駆動信号が入力された場合に駆動開始処理を実行し、入力部３４に停止信号が入力された場合に駆動停止処理を実行する。制御部３０はデューティ変更処理を周期的に実行する。
【００７８】
実施形態３においては、駆動開始処理は、Ｎ個の発光ダイオードＬ１，Ｌ１，・・・，Ｌ１、Ｍ個の発光ダイオードＬ２，Ｌ２，・・・，Ｌ２及び白熱電球４１の駆動を開始する処理である。駆動停止処理は、Ｎ個の発光ダイオードＬ１，Ｌ１，・・・，Ｌ１、Ｍ個の発光ダイオードＬ２，Ｌ２，・・・，Ｌ２及び白熱電球４１の駆動を停止する処理である。
実施形態３における駆動開始処理、デューティ変更処理及び駆動停止処理の内容は、実施形態１と同様である。
【００７９】
実施形態３においては、フラグの値がゼロであることは、Ｎ個の発光ダイオードＬ１，Ｌ１，・・・，Ｌ１、Ｍ個の発光ダイオードＬ２，Ｌ２，・・・，Ｌ２及び白熱電球４１の駆動を停止していることを意味する。フラグの値が１であることは、Ｎ個の発光ダイオードＬ１，Ｌ１，・・・，Ｌ１、Ｍ個の発光ダイオードＬ２，Ｌ２，・・・，Ｌ２及び白熱電球４１を駆動していることを意味する。
【００８０】
制御部３０が駆動開始処理を開始した場合、出力部３５から駆動回路２１にスイッチ信号が出力され、駆動回路２１は、出力部３５から出力されたスイッチ信号が示す電圧に従って、スイッチ２０のオンへの切替えと、スイッチ２０のオフへの切替えとを交互に繰り返す。これにより、スイッチ２０の発光回路１１側の一端から電流が発光回路１１を流れ、スイッチ２０の発光回路１１側の一端から電流がダイオード回路５０及び発光回路４０を流れ、スイッチ２０の発光回路１１側の一端から電流がダイオード回路５１及び白熱電球４１を流れる。
【００８１】
以上のように、実施形態３における電源システム１では、スイッチ２０の発光回路１１側の一端から電流が流れる３つの電流経路が設けられている。１つ目の電流経路には発光回路１１が配置されている。２つ目の電流経路にはダイオード回路５０及び発光回路４０が配置されている。３つ目の電流経路にはダイオード回路５１及び白熱電球４１が配置されている。
ダイオード回路５０及び発光回路４０が配置された電流経路は、第２の電流経路に相当する。ダイオード回路５１及び白熱電球４１が配置された電流経路は、第３の電流経路に相当する。Ｋ個の内部ダイオードＡ３，Ａ３，・・・，Ａ３夫々は第２のダイオードとして機能する。
【００８２】
発光回路１１が配置された電流経路に電流が流れた場合、Ｎ個の発光ダイオードＬ１，Ｌ１，・・・，Ｌ１は発光する。発光回路４０が配置された電流経路に電流が流れた場合、Ｍ個の発光ダイオードＬ２，Ｌ２，・・・，Ｌ２は発光する。白熱電球４１が配置された電流経路に電流が流れた場合、白熱電球４１が発光する。
駆動回路２１は、スイッチ２０のオンへの切替えと、スイッチ２０のオフへの切替えを交互に繰り返すことによって、Ｎ個の発光ダイオードＬ１，Ｌ１，・・・，Ｌ１、Ｍ個の発光ダイオードＬ２，Ｌ２，・・・，Ｌ２及び白熱電球４１を駆動する。駆動回路２１がスイッチ２０をオフに維持している場合、Ｎ個の発光ダイオードＬ１，Ｌ１，・・・，Ｌ１、Ｍ個の発光ダイオードＬ２，Ｌ２，・・・，Ｌ２及び白熱電球４１に電流が供給されず、これらの駆動は停止している。発光ダイオードＬ２は第２の発光ダイオードとして機能する。
【００８３】
実施形態１で述べたように、駆動開始処理及びデューティ変更処理夫々では、スイッチ信号のデューティは、［１］式を用いて設定及び変更が行われる。従って、スイッチ信号のデューティは、発光回路１１が配置された電流経路を流れる電流値が所定の電流値Ｉｃ１となるように調整される。
【００８４】
実施形態３における電源システム１では、以下の［３］式が成立する。
Ｖａ２＋Ｖｄ２＋Ｖｆ２＝Ｖｄ１＋Ｖｆ１・・・［３］
ここで、電圧値Ｖａ２は、ダイオード回路５０を電流が流れた場合にＪ個の内部ダイオードＡ２，Ａ２，・・・，Ａ２で生じる電圧降下の幅である。電圧値Ｖｄ２は、発光回路４０を電流が流れた場合にダイオードＤ２で生じる電圧降下の幅である。電圧値Ｖｆ２は、発光回路４０を電流が流れた場合にＭ個の発光ダイオードＬ２，Ｌ２，・・・，Ｌ２で生じる電圧降下の幅である。
【００８５】
実施形態１で述べたように、電圧値Ｖｄ１は、発光回路１１を電流が流れた場合にダイオードＤ１で生じる電圧降下の幅である。電圧値Ｖｆ１は、発光回路１１を電流が流れた場合にＮ個の発光ダイオードＬ１，Ｌ１，・・・，Ｌ１で生じる電圧降下の幅である。
従って、［３］式の左辺は、ダイオード回路５０及び発光回路４０が配置された電流経路を電流が流れた場合に、Ｊ個の内部ダイオードＡ２，Ａ２，・・・，Ａ２と、ダイオードＤ２と、Ｍ個の発光ダイオードＬ２，Ｌ２，・・・，Ｌ２とで生じる電圧降下の幅である。［３］式の右辺は、発光回路１１が配置された電流経路を電流が流れた場合に、ダイオードＤ１と、Ｎ個の発光ダイオードＬ１，Ｌ１，・・・，Ｌ１とで生じる電圧降下の幅である。
【００８６】
なお、［３］式は厳密に成立していなくてもよく、電圧値Ｖａ２，Ｖｄ２，Ｖｆ２の和は、［３］式が成立しているとみなされる範囲で、電圧値Ｖｄ１，Ｖｆ１の和と略一致していればよい。電圧値Ｖａ２，Ｖｄ２，Ｖｆ２の和と、電圧値Ｖｄ１，Ｖｆ１の和との差（絶対値）が、例えば、０．２Ｖ以下である場合、［３］式が成立している、即ち、電圧値Ｖａ２，Ｖｄ２，Ｖｆ２の和が電圧値Ｖｄ１，Ｖｆ１の和に略一致しているとみなされる。
【００８７】
［３］式を用いて、［１］式を、以下に示す［４］式に書き換えることができる。
Ｔｉ＝１００・（Ｖｃ−Ｖａ２−Ｖｄ２−Ｖｆ２）
／（Ｖｓ−Ｖａ２−Ｖｄ２−Ｖｆ２）・・・［４］
更に、［４］式の右辺において、分子及び分母夫々を抵抗Ｒ２の抵抗値ｒ２で除算することによって、［４］式を、以下に示す［５］式に書き換えることができる。
Ｔｉ＝１００・（（Ｖｃ−Ｖａ２−Ｖｄ２−Ｖｆ２）／ｒ２）
／（（Ｖｓ−Ｖａ２−Ｖｄ２−Ｖｆ２）／ｒ２）・・・［５］
【００８８】
（Ｖｃ−Ｖａ２−Ｖｄ２−Ｖｆ２）／ｒ２は、バッテリ１２の出力電圧値が所定電圧値Ｖｃ（＝Ｖｂ）であると仮定した場合において、スイッチ２０がオンであるときに、ダイオード回路５０及び発光回路４０が配置された電流経路を流れる電流値Ｉｃ２である。
（Ｖｓ−Ｖａ２−Ｖｄ２−Ｖｆ２）／ｒ２は、バッテリ１２の出力電圧値が、制御部３０によってＡ／Ｄ変換部３２から取得された検出値情報が示す検出値Ｖｓである場合において、スイッチ２０がオンであるときに、ダイオード回路５０及び発光回路４０が配置された電流経路を流れる電流値Ｉｓ２である。
【００８９】
従って、電流デューティＴｉは、電流値Ｉｓ１に対する電流値Ｉｃ１の比であると共に、電流値Ｉｓ２に対する電流値Ｉｃ２の比である。制御部３０が駆動開始処理及びデューティ変更処理を実行することによって、発光回路１１を流れる電流値が所定の電流値Ｉｃ２となるように調整される。
【００９０】
以上のように、実施形態３では、ダイオード回路５０、即ち、Ｊ個の内部ダイオードＡ２，Ａ２，・・・，Ａ２を設けることによって、スイッチ２０の発光回路１１側の一端から発光回路４０を流れる電流の電流経路に配置された全てのダイオードで生じる電圧降下の幅が、スイッチ２０の発光回路１１側の一端から発光回路１１を流れる電流の電流経路に配置された全てのダイオードで生じる電圧降下の幅に一致するか又は略一致するように調整されている。これにより、発光回路１１，４０の両方に電流を安定して供給することができる。また、抵抗Ｒ２の抵抗値ｒ２を調整することによって電流値Ｉｃ２を、電流値Ｉｃ１とは異なる電流値に設定することができる。
【００９１】
実施形態３における電源システム１では、Ｍ個の発光ダイオードＬ２，Ｌ２，・・・，Ｌ２を駆動している場合において、バッテリ１２の出力電圧値に無関係に、発光回路４０を流れる電流値の平均値は電流値Ｉｃ２で安定する。このため、Ｍ個の発光ダイオードＬ２，Ｌ２，・・・，Ｌ２が発する光の強度が安定し、Ｍ個の発光ダイオードＬ２，Ｌ２，・・・，Ｌ２がちらつく確率も低い。
【００９２】
白熱電球４１が発する光の強度は、白熱電球４１で消費される電力値の平均値が安定した場合に安定する。従って、スイッチ信号のデューティが、以下に示す［６］式で算出された電力デューティＴｐに調整された場合、白熱電球４１が発する光の強度は安定する。電力デューティＴｐの単位も、スイッチ信号のデューティ及び電流デューティと同様に、パーセント［％］である。
Ｔｐ＝１００・（（Ｖｃ−Ｖａ３）2 ／（Ｖｓ−Ｖａ３）2 ）・・・［６］
ここで、電圧値Ｖａ３は、白熱電球４１を電流が流れた場合にＫ個の内部ダイオードＡ３，Ａ３，・・・，Ａ３で生じる電圧降下の幅である。
【００９３】
［６］式の右辺において、分子及び分母夫々を白熱電球４１の抵抗値ｒ３で除算することによって、［６］式を、以下に示す［７］式に書き換えることができる。
Ｔｐ＝１００・（（Ｖｃ−Ｖａ３）2 ／ｒ３）
／（（Ｖｓ−Ｖａ３）2 ／ｒ３）・・・［７］
【００９４】
（Ｖｃ−Ｖａ３）2 ／ｒ３は、バッテリ１２の出力電圧値が所定電圧値Ｖｃ（＝Ｖｂ）であると仮定した場合において、スイッチ２０がオンであるときに、白熱電球４１で消費される電力値Ｐｃである。
（Ｖｓ−Ｖａ３）2 ／ｒ３は、バッテリ１２の出力電圧値が、制御部３０によってＡ／Ｄ変換部３２から取得された検出値情報が示す検出値Ｖｓである場合において、スイッチ２０がオンであるときに、白熱電球４１で消費される電力値Ｐｓである。前述したように、検出値Ｖｓはバッテリ１２の出力電圧値の変動範囲内の値である。
電力デューティＴｐは、電力値Ｐｃを電力値Ｐｓで除算することによって算出される。
【００９５】
駆動開始処理及びデューティ変更処理において、スイッチ信号のデューティが［６］式で算出された電力デューティＴｐに調整された場合、白熱電球４１で消費される電力値の平均値は、電力値Ｐｓ及び電力デューティＴｐの積を１００で除算した値、即ち、電力値Ｐｃである。
従って、駆動開始処理及びデューティ変更処理において、スイッチ信号のデューティが［６］式で算出された電力デューティＴｐに調整された場合、白熱電球４１で消費される電力値の平均値は、バッテリ１２の出力電圧値に無関係に、電力値Ｐｃで安定する。白熱電球４１で消費される電力値の平均値が安定している場合、白熱電球４１が発する光の強度が安定し、白熱電球４１がちらつく確率は低い。
【００９６】
図８は電力デューティＴｐと検出値Ｖｓとの関係を示すグラフである。検出値Ｖｓが所定電圧値Ｖｃ（＝Ｖｂ）である場合、［７］式で表される電力デューティＴｐは１００％である。検出値Ｖｓが電圧値Ｖｃ（＝Ｖｂ）から高くなるにつれて、電力デューティＴｐは低下する。検出値Ｖｓが横軸に示されている電力デューティＴｐのグラフは下に凸のグラフである。
【００９７】
前述したように、電圧値Ｖａ３は、白熱電球４１が配置された電流経路を電流が流れた場合にＫ個の内部ダイオードＡ３，Ａ３，・・・，Ａ３で生じる電圧降下の幅を示す。バッテリ１２の出力電圧値の変動範囲内における同一の検出値Ｖｓにおいて、電圧値Ｖａ３が低い程、電力デューティＴｐは大きく、電圧値Ｖａ３が高い程、電力デューティＴｐは小さい。
【００９８】
検出値Ｖｓが横軸に示されている電流デューティＴｉのグラフは、電力デューティＴｐのグラフと同様に、下に凸のグラフである。実施形態３では、検出値Ｖｓがバッテリ１２の出力電圧値の変動範囲内の値である場合において、電流デューティＴｉのグラフは電力デューティＴｐのグラフと一致しているか又は略一致している。変動範囲内のいずれの検出値Ｖｓにおいても、電力デューティＴｐと電流デューティＴｉとの差（絶対値）が例えば２％以下であれば、電流デューティＴｉのグラフがデューティＴｐのグラフと略一致しているとみなすことができる。
【００９９】
実施形態３でも、実施形態１と同様にスイッチ信号のデューティは、制御部３０によって算出される電流デューティに調整される。しかしながら、ダイオード回路５１、即ち、Ｋ個の内部ダイオードＡ３，Ａ３，・・・，Ａ３を配置することによって、電力デューティＴｐのグラフを電流デューティＴｉのグラフに一致させるか又は略一致させることができ、白熱電球４１で消費される電力値が電力値Ｐｃで安定する構成を実現することができる。実施形態３では、白熱電球４１で消費される電力値が安定しているので、白熱電球４１が発する光の強度が安定し、白熱電球４１がちらつく確率は低い。
以上のように、Ｋ個の内部ダイオードＡ３，Ａ３，・・・，Ａ３は、白熱電球４１で消費される電力値を安定させるために用いられる。
【０１００】
実施形態３における駆動装置１０では、スイッチ信号のデューティが実施形態１と同様に調整されるため、実施形態３における駆動装置１０は、実施形態１における駆動装置１０が奏する効果を同様に奏する。
【０１０１】
なお、実施形態３においては、所定電圧値Ｖｃは、バッテリ１２の出力電圧値の変動範囲の下限値Ｖｂに限定されず、下限値Ｖｂ以下であればよい。従って、所定電圧値Ｖｃは、実施形態２と同様に、下限値Ｖｂ未満である電圧値であってもよい。この場合であっても、駆動装置１０は、上述した効果と同様の効果を奏する。また、発光回路４０は、ダイオードＤ２を有していなくてもよく、例えば、Ｍ個の発光ダイオードＬ２，Ｌ２，・・・，Ｌ２及び抵抗Ｒ２によって構成されてもよい。この場合、電圧値Ｖｄ２はゼロＶとして取り扱われる。
【０１０２】
なお、実施形態１〜３において、バッテリ１２の出力電圧値を変動させる負荷は、スタータ１３に限定されず、比較的に大きな電流が供給される負荷であればよい。更に、バッテリ１２が電力を直接に供給する負荷の数は１に限定されず、２以上であってもよい。この場合においては、バッテリ１２が電力を直接に供給する全ての負荷が作動しているときにバッテリ１２の出力電圧値は下限値Ｖｂとなり、バッテリ１２が電力を直接に供給する全ての負荷が動作を停止しているときに上限値Ｖｔとなる。
【０１０３】
更に、発光回路１１は、ダイオードＤ１を有していなくてもよく、例えば、Ｎ個の発光ダイオードＬ１，Ｌ１，・・・，Ｌ１及び抵抗Ｒ１によって構成されてもよい。この場合、電圧値Ｖｄ１はゼロＶとして取り扱われる。
【０１０４】
開示された実施形態１〜３はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【０１０５】
１  電源システム
１０  駆動装置
１１，４０  発光回路
１２  バッテリ
１３  スタータ
２０  スイッチ
２１  駆動回路（駆動部）
２２  電圧検出部
２３  マイコン
３０  制御部（算出部、変更部）
３１  記憶部
３２  Ａ／Ｄ変換部
３３，３４  入力部
３５  出力部
３６  バス
４１  白熱電球
Ａ２  内部ダイオード
Ａ３  内部ダイオード（第２のダイオード）
Ｄ１，Ｄ２  ダイオード
Ｅ１  記憶媒体
Ｌ１  発光ダイオード
Ｌ２  発光ダイオード（第２の発光ダイオード）
Ｐ１  制御プログラム
Ｒ１，Ｒ２  抵抗
【図１】
2018006187.tif 000003
【図２】
2018006187.tif 000004
【図３】
2018006187.tif 000005
【図４】
2018006187.tif 000006
【図５】
2018006187.tif 000007
【図６】
2018006187.tif 000008
【図７】
2018006187.tif 000009
【図８】
2018006187.tif 000010